Podtech/llm-jp-corpus-v4-ja_patent huggingface dataset:
(57)【要約】      （修正有）【課題】本発明はドラム荷重を垂直方向から水平方向荷重にベクトル変換して、更に操作荷重を軽くし安全に上げ下げさせるようにしたドラム受けスタンドと球形タイヤがドラム鍔で凹むようにし、ドラムが浮上した量に比例してより大きな動力がドラム鍔に伝わるようにした、電線ドラム回転機を提供するものである。【解決手段】ドラム受け支柱を三角形支柱として、垂直荷重を出来るだけ小さな水平ベクトル荷重にして支柱の上下動を容易化し、コスト削減を図り、ドラム荷重の大きさに応じて支柱強度、モーター１４の容量、空気充填タイヤの外径を考慮することで、少数機種で全てのドラムに対して広範囲に利用できるようにして、コスト削減を図り、多人数、重労働からの脱皮を図る。【選択図】図１
2010280500.tif 000002
【特許請求の範囲】
【請求項１】
電線ドラムは外径０．７５ｍ程度の小型のものから外径５ｍ、重量５０トンの大型のものまで電線種類や巻き回数により多種類ある。このドラムを回転させるためドラムの両側に受け支柱を設けて、ドラム中心孔にパイプを通して受けさせ、地面からドラムを浮かし回転できるようにしているが、これまでは垂直方向のネジ棒や垂直方向の油圧ジャッキで上げ下ろししていた。これはドラムが軽荷重の場合には良くとも、数トン、数十トンとなると操作性が悪くなり、安全面でも危険を伴う作業となっていた。
またドラムにはウインチのような巻き取り機能がなく、仮設電線の回収作業などは人手でドラムを回転しなければならず、長時間、重労働作業を強いられていた。本発明はドラムの両側の受け支柱を垂直柱から三角柱にして垂直荷重を水平ベクトル荷重に切り替え、全荷重を軽くし、水平方向のネジ棒、又は水平方向の油圧ジャッキーにて前後に移動することで、三角柱の受け支柱を上下させ、ドラムを浮上させ、浮上した高さに比例してドラム鍔が動力を伝える球形タイヤに強く接して凹ませるようにした、電線ドラム回転機。
【発明の詳細な説明】
【発明の詳細な説明】
【技術分野】
【０００１】１  電線メーカーの電線ドラム作業分野
２  電力送電ケーブル敷設業、通信電線敷設業
３  海底ケーブル埋設業
４  造船他大型プラント建設現場の電線敷設業
【背景技術】
【０００２】
【０００３】電線ドラムは垂直方向のネジ棒や垂直方向の油圧ジャッキで上下していたが、ドラムが軽荷重の場合には良くとも、数トン、数十トンとなると操作性が悪くなり、安全面でも危険を伴う作業となっていた。またドラムにはウインチのような巻き取り機能がなく、仮設電線の回収作業などは人手でドラムを回転さなければならず、長時間、重労働作業を強いられていた。
【発明が解決しようとする課題】
電線ドラムは外径で０．７５ｍ〜１．７ｍで重量が２トン前後の木製タイプの作業業界と、外径３ｍ〜５ｍで重量が３０〜５０トンの大型鉄製ドラム専用の作業業界があるが、本発明はいずれの場合でも、ドラム受け支柱を垂直柱から３角柱に切り替え、ドラム荷重を垂直力から水平ベクトル力にして力を軽くし、操作性、安全性を高め、またドラムを繰り出しだけでなく、動力で巻き込みもできるものにすることで省人省力化を図ることを課題とする。
【課題を解決するための手段】
【０００４】ドラムの上げ下ろしする力を３角柱で垂直力から水平力にベクトル変換して力を軽くする。そして２トン前後の木製タイプの場合は減速ギヤーとハンドルなどの組み合わせで更に軽く、水平移動出来るようにし、作業性、安全性を高める。また３０〜５０トンのドラムの場合は、水平移動が出来るような油圧キャッキーで前後方向に移動させ、上げ下げ出来る構造とし、ドラムが地面から上がった高さの量に比例してタイヤを凹ませてドラム鍔に回転力が伝わるようにした電線ドラム回転機。
【発明を実施するための形態】
【０００５】以下、本発明の実施例としてドラム外径０．７５ｍ〜１．７ｍを対象とした図面を参照して説明する。
【０００６】［図１］はドラム外径０．７５ｍ〜１．７ｍを対象とした３角形のドラム受けスタンドの側面図であり、支点１１を、ハンドル８を廻して、減速ギヤーボックス７を介して水平方向に移動させ、支点１１を図の左に移動することでドラムが地面より浮上する、反対に図面の右に移動させれば着地方向に動く機構にしている。尚手順として、ドラムを地面上で転がしてドラム受けスタンド内に導き、ドラム外径に合わせ、ドラム支持パイプ３を受けロラー５に乗せ固定する。この状態でボールタイヤ１５（１５−１は外径１．５ｍドラム零位置、１５−２は外径０．７５ｍドラム零位置）をドラム鍔に当て後ろに逃げないようにしっかり固定し、ハンドルを廻しで、ドラムを浮上させ、浮上した分だけドラム鍔がボールタイヤに乗っかりボールタイヤを凹まし、その凹み具合を見ながらモーター１４を起動し、ドラムをスムーズに回転させる。
【０００７】［図２］ははドラム外径０．７５ｍ〜１．７ｍを対象とした３角形のドラム受けスタンドの正面図であり、ドラム動力の１４，１５が水平コモンベース９とネジを介して後ろに逃げないようにしっかり固定されている。
【図面の簡単な説明】
【０００８】
【図１】は本発明のドラム回転機の全体側面図を示し、支点１１を水平方向に移動することで支点１２，１３の角度が変わりドラムが地面位置から数センチ浮上し、ドラム駆動部のボールタイヤを凹ませ、回転力を得るようにしている。
【図２】は本発明のドラム回転機の全体正面図を示す。ドラムが安全にスムーズに回転、停止するために、水平コモンベース９に駆動部１４，１５がしっかり固定されている。
【符号の説明】
【０００９】１  外径１．５ｍの電線ドラム鍔
２  外径０．７５ｍの電線ドラム鍔
３  電線ドラム天秤パイプ
４  天秤パイプ受け鋼材
５  天秤パイプ受けローラ金具
６  天秤パイプ受け鋼材４の受け鋼材
７  減速ギヤーボックス
８  支点１１を動かす軽荷重ハンドル
９  水平コモンベース
１０  支点１１を移動させる長尺ネジ
１１  移動支点
１２  角度変位、位置移動支点
１３  角度変位支点
１４  動力モーター
１５  空気充填ボールタイヤ
【図１】
2010280500.tif 000003
【図２】
2010280500.tif 000004
(57)【要約】【課題】林業関係者や山登り山菜取りや何らかの理由などで入山した際に環形動物、有害生物に遭遇し被害が発生する。その被害などは、生息範囲の拡大と共に慣れない人間に大きな被害を与えている。この忌避のため忌避剤を提供する。【解決手段】環形動物、有害生物の忌避剤は、［請求項１］から［請求項４］から選択されることで解決とする。環形動物、有害生物にとって有害な木酢液の誘導物質フエノール成分を忌避剤に有効な成分に完成させるに至った。【特許請求の範囲】
【請求項１】
環形動物、有害生物等に有毒なフエノール成分の木酢液有効成分を袋、ロープ状袋、板状袋に浸潤させた忌避剤。
【請求項２】
前記の袋、ロープ状袋、板状袋の素材を麻、綿、不織布、スパボンド等の素材により構成されることを特徴とする請求項１記載の環境動物、有害生物用忌避剤。
【請求項３】
前記素材は通気性素材より構成されることを特徴とする請求項１記載の環境動物、有害生物用忌避剤。
【請求項４】
前記部材を活用し適所の位置に装備できることを特徴とした環形動物、有害生物用忌避剤。
【発明の詳細な説明】
【技術分野】
【０００１】本発明は、有効成分としての木酢液を珪藻土、ゼオライト、木質チップ、粉炭等の多孔質に浸潤させ環形動物、有害生物の忌避剤に関するものである。
【背景技術】
【０００２】環形動物、有害生物にかまれると長時間血が止まらない。こじらせると数ヶ月にも及ぶ。強いアレルギー反応を起こす場合がある。創傷感染の危険がある。忌避剤として消石灰、石灰、窒素、食塩が使用されてきたが広範囲散布は駆除が困難とされている。
【発明の開示】
【発明が解決しようとする課題】
【０００３】環形動物、有害生物による被害や生息範囲の拡大による被害が発生していることから本発明の環形動物、有害生物等にとって有毒なフエノール成分を含有している木酢液有効成分を使用適所に袋、ロープ状袋、板状袋に形成した忌避剤袋を提供する。【０００４】袋の素材は通気性の良い麻、綿、不織布、スパボンド等の構成によることを特徴とする。
【課題を解決するための手段】
【０００５】環形動物、有害生物に有毒なフエノールの有効成分を含有の木酢液は環境に負荷を与えず、天然素材の珪藻土、ゼオライト、木質チップ、粉炭は、液体物質地を微細な気孔に保持させ、安全性があり、かつ環境負荷の低減が期待できる忌避剤を技術開発でその提供を目的とする。
【発明の効果】
【０００６】本発明技術は、有効成分を無駄なく発揮され持続性製に優れ、天然素材をベースとしていることから安全性があり、環境への影響を低減するのを目的とする。主材料は地域産材の利用技術となり地域産業に貢献をする。【０００７】天然素材の有用な特徴と多孔質な細孔部の吸着保持効果は、環形動物、有害生物等の忌避剤を検討の結果、忌避性を見いだすことができ本発明を完成させるに至った。【０００８】
【発明を実施するための最良の形態】
【０００９】本発明の環形動物、有害生物の忌避剤袋を使用個所に応じて袋、ロープ状袋、板状袋に逢着形成することにより接着形成より自在対応を特徴とした【００１０】忌避剤袋を都度発生によって単一製品、連結製品、そのサイズの大小製品形成を可能とした。【００１１】忌避剤素材の珪藻土は、保水力はゼオライトに優るが形状が変化しシャービット状化することからにより野山に使用が適している。ゼオライト素材は野山以外の使用に適している。
【産業上の利用可能性】
【００１２】本発明の環形動物、有害生物の忌避剤は持続性があり、人体、環境への悪影響は見られず安全であり、かつ環境負荷の低減が求められるのに適した忌避剤である。
生態系への影響が懸念される薬剤を直接散布する従来の方法から環境に優しい撃退効果を持続させることを特徴とした。
(57)【要約】【課題】天然抽出物製造装置は簡単に組立てが可能であり、製造素材のあるところに移動設置ができ、しかも製造操作が簡単であることを特徴とする。【解決手段】本発明によって、高額な設備投資がおさえられ、比較的簡単な装置でもって、燃焼中の空気調製を高度技術開発により燃焼効率の微調整を設けたことにより天然抽出物の大量生産が得られる。本提供によって、地域資源資材を活用することになり、よって地域事業の育成と地域の産業開発となる。【選択図】図１
2010280647.tif 000002
【特許請求の範囲】
【請求項１】
天然抽出物の製造装置は、炎の回転を容易とするため円形としたことを特徴とした。
【請求項２】
炉内温度の急速冷却を防止するため製造装置をセラミック状の炭化層装置を設けたことを特徴とした。
【請求項３】
燃焼炉は焚き口を上部とし、燃焼物を上部から入れることを特徴とした。
【請求項４】
燃焼物を上部から入れた後の蓋の取り付け操作が簡単に出来ることを特徴とした。
【請求項５】
燃焼炉に熱装置の配備による無煙化ならびに燃焼効率をはかった空気調部に微調整装置を付属させたことを特徴とした。
【発明の詳細な説明】
【技術分野】
【０００１】本発明は、木質、植物を加熱分解することによって得られる天然抽出物を製造する天然抽出物製造装置に関する。安価な製造装置として天然抽出物のあるところに運んで簡単に組立て設置することができ、しかも操作が簡単にできることを特徴とする。
【背景技術】
【０００２】従来より、天然抽出物は殺菌や抗菌および消臭効果に優れている。
植物の生育や害虫駆除等用途が広い。
天然抽出物製造工程において設計、部材、型材、金型と製作技術がかかり高額である。
【発明の開示】
【発明が解決しようとする課題】
【０００３】本発明は、使用後のドラム缶やガスボンベのリサイクル品の活用であり、素材が本発明に確保できる製造コストが安価で、安全性安心で安価に提供する。規模の拡大によって大型化は都度発生によって製造を可能とする。
【課題を解決するための手段】
【０００４】本発明の装置は、焚き口に空気調整を備えることにより炉内温度が調整でき、ローコストな装置システムである。
【発明の効果】
【０００５】廃棄物のドラム缶、ボンベそのものの裁断によって要件が構成され確保できる。【０００６】本発明での成形物は廃棄物を充填にした簡易成形である。【０００７】ドラム缶、ガスボンベには、耐熱効果がある。資源の再利活用製品であるため、これらの再資源化を図ることにより環境保全対策に有効である。【０００８】排気筒の調整により採取できる天然抽出物は、殺菌性や抗菌および消臭、消毒性があり衛生環境の調整に活用できる。
【発明を実施するための最良の形態】
【０００９】本発明は、リサイクルのドラム缶、ボンベの上部を切断し、天然抽出物製造装置に成形する。炉内の底面には鉱石と炭化材を敷くことにより有害除去が可能とする。【００１０】燃焼室は炎の回転を容易にするため円形にしたことを特徴とする。【００１１】鉄の特徴の着火温度を低くする触媒作用を利用する為、炉壁を鉄製にしたことを特徴とする。【００１２】燃焼速度を早くし急速に燃焼室内温度を高温にするため送風部分を特徴とする。【００１３】燃焼室内はダイオキシン発生を抑制させるため、炉内温度を急速冷却防止のためセラミック状の炭化層からの熱カロリー無煙化装置に適合を可能にしたことを特徴とする。
【産業上の利用可能性】
【００１４】本発明は、簡単に組立て、対象物のあるところに移動設置ができることから合理化ならびに作業能率に関する。【００１５】製造装置のサイズの変更により生産物を少量又は大量生産に活用できる。
【図面の簡単な説明】
【００１６】
【図１】天然抽出物製造装置構造の斜視図
【図２】天然抽出物製造装置構造の焚き口
【図３】天然抽出物製造装置構造の断面図
【符号の説明】
【００１７】１、燃焼炉
２、焚き口
３、燃焼炉の上蓋
４、排気筒
５、天然抽出物採取装置
６、セラミック炭化装置
【図１】
2010280647.tif 000003
【図２】
2010280647.tif 000004
【図３】
2010280647.tif 000005
(57)【要約】【課題】連結システム構造の伝導駆動機を決定とした一連が維持できるケーブル、電線、ホース等を自動で巻取り、抜き取り、結束を迅速に行うことが可能なことから作業性、能率性、効率性、生産性の向上を提供する。【解決手段】ケーブル、電線、ホース等を駆動手段で巻取り、結束、抜き取りを可能とする掛け止め部材で作業ができる。しかも、簡単な作業で作業性、能率性、効率性、生産性の向上が得られる。【選択図】図１
2010280502.tif 000002
【特許請求の範囲】
【請求項１】
ケーブル、電線、ホース等の自動巻き取りを可能にし、駆動手段を備えたことを特徴とする自動巻き取り機。
【請求項２】
請求項１に記載の自動巻き取り機の左右を自在に張力を一定に保ち、自動走行での巻き取り、作業後簡単に取り外せる工程を特徴とした自動巻き取り機。
【請求項３】
請求項１、２によって結束されることを特徴とする自動巻き取り機。
【請求項４】
請求項１から請求項３における機能を備え、自在に移動ができる柱脚構造を特徴とする自動巻き取り機。
【発明の詳細な説明】
【技術分野】
【０００１】本発明は、ケーブル、電線、ホース等の自動巻き取り機に関するものである。
【背景技術】
【０００２】従来、ケーブル、電線、ホース等の巻き取りは、手作業をしており、巻き取り、抜き取った後の結束も手作業でおこなわれていた。
【発明の開示】
【発明が解決しようとする課題】
【０００３】本発明は、上述のように手作業の場合、垂直の重力が働き、分散、緩和、弾力、ねじれによる変形が発生する。しかも、作業性、能率性、効率性、生産性が極めて悪い。【０００４】上記従来対策にとどまらず、構造形成の劣化を防止しつつ、巻き取り、結束を駆動手段で迅速に処理ができる自動の巻き取りを備えた構造の自動巻き取り機を提供する。
【問題を解決するための手段】
【０００５】この発明は、伝導駆動システムに連結構成されたことを特徴とする。
【０００６】垂直の重力を支持する支持設計仕様を配置することを特徴とする。
【０００７】上記エネルギー作用はシステム構造によって吸収され、構造成形の変形、劣化が防止される。
【発明の効果】
【０００８】本発明は、上述のように、物理的作用を視野に入れた連結システムの伝導駆動構成構造を完成させ、低価格で簡単な操作でケーブル、電線、ホース等の巻き取り、抜き取り、結束を迅速に作業ができることから作業性、能率性、効率性、生産性の向上が得られる。
【０００９】本発明は、自在な移動を可能とする脚柱構造機能を備えている。しかも、脚柱構造に高低調整ができることから、巻取り量の調整対応を可能とすることを特徴とする。
【００１０】本発明は、移動作業を可能とすることから、全体フレーム調整、脚柱構造の高さ調整、巻取り部材の調整を可能とした。しかも、作業量に対応した巻き取り部材の設置で、巻き取りの長さに対応できる自動巻き取り機を提供する。
【発明を実施するための最良の形態】
【００１１】本発明のケーブル、電線、ホース等自動巻き取り機の実施例を図面で示す。この自動巻き取り機は、構造強度の形成フレームを含む。移動自在に適合した整合構造を備えている。さらには、伝導駆動システムの構造で連結できる。【００１２】図１は本発明の実施を示すようにシステム構造を決定する一連の機能構造をもつ全体の側面図。図２は配置の簡略図のように一定を維持する。図３から図７は構造、部材が各機能に連結される。図１から図７は巻き取り構造を図面としたが実施例であり多くの詳細形態は加えられる。
【産業上の利用可能性】
【００１３】本発明の伝導駆動の自動巻き取り機は、ケーブル、電線、ホース等に対応を可能とした構造のシステム化を提供するものである。よって作業性、能率性、効率性、生産の向上が得られる。
【図面の簡単な説明】
【００１４】
【図１】全体の側面図
【図２】全体の配置図
【図３】巻取り部の側面図
【図４】巻取り部に取り外し部材の側面図
【図５】巻取り部材の内部に調整部材設置の側面図
【図６】巻取り部材外側に結束切り抜き孔、結束ストッパー設置の側面図
【図７】巻取り部材内側に調整部材設置の側面図
【符号の説明】
【００１５】  １、巻き取り部
２、ガイド溝
３、フレーム
４、脚柱（高低調整可）
５、キャスター
６、モーター
７、ベルト
８、結束部（円形状に長短調整可）
９、結束部切抜き
１０、結束部ストッパー
１１、搬送部
１２、変速機
１３、巻取り調整孔
【図１】
2010280502.tif 000003
【図２】
2010280502.tif 000004
【図３】
2010280502.tif 000005
【図４】
2010280502.tif 000006
【図５】
2010280502.tif 000007
【図６】
2010280502.tif 000008
【図７】
2010280502.tif 000009
(57)【要約】【課題】  ４枚の羽根８面に異なる８種類の寸尺が記載されており、その羽根を中心軸で回転させる事により、８種類の寸尺を簡単に選べ見やすく使用可能にした４枚羽根回転式複合スケールを提供する。【解決手段】  本発明の４枚羽根回転式複合スケールは芯となる軸棒、軸棒の両端にあるヘッド部分、軸棒を中心に回転する４枚８種類の異なった寸尺が記載された羽根を回すことにより簡単に選べて使用できる。また、円形、円錐、四角形、四角錐、三角形、三角錐などでデザインされたヘッド部分は軸棒より大きく高さがありスケールが置かれる際にこの両端のヘッド部分が羽根の支えとなり、４枚の羽根を芯棒中心に１枚対３枚に隔てることにより、１枚側の羽根で測る動作を行うことができる。羽根の固定補機能として軸棒のヘッド部分の片端には凸型のツメがあり、軸棒を左右にスライドさせることで計測可能な形、１枚と３枚に分かれた状態の羽根をロック、ロック解除することが可能である。【選択図】図１
2010280208.tif 000002
【特許請求の範囲】
【請求項１】
芯となる軸棒、軸棒の両端にあるヘッド部分、軸棒を中心に回転する４枚８種類の異なった寸尺が記載された羽根から成る回転式複合スケール。
【請求項２】
４枚の羽根はそれぞれの面、計８面に異なる８種類の寸尺が記載され、羽根を回すことにより簡単に選べて使用できるスケール。
【請求項３】
円形、円錐、四角形、四角錐、三角形、三角錐などでデザインされたヘッド部分は軸棒より大きく高さがある。  請求項１記載のスケールが置かれる際にこの両端のヘッド部分が羽根の支えとなり、４枚の羽根を芯棒中心に１枚対３枚に隔てることにより、１枚側の羽根で測ることを特徴とする。
【請求項４】
前期、羽根の固定補機能として軸棒のヘッド部分の片端には凸型のツメがあり、軸棒を左右にスライドさせることで計測可能な形、１枚と３枚に分かれた状態の羽根をロック、ロック解除することが可能であることを特徴とする請求項１記載のスケール。
【発明の詳細な説明】
【技術分野】
【０００１】本発明は４枚の羽根８面に異なる８種類の寸尺が記載されており、その羽根を中心軸で回転させる事により、８種類の寸尺を簡単に選べ見やすく使用可能にした４枚羽根回転式複合スケールである。
【背景技術】
【０００２】従来の三角スケールは、１／１００ｍ、１／２００ｍ、１／２５０、１／３００ｍ、１／４００ｍ、１／５００ｍ、１／６００ｍの縮尺目盛りのうち６種類の縮尺目盛りを設けている。
【発明の開示】
【発明が解決しようとする課題】
【０００３】従来の三角スケールにはそれぞれの面、計６面に異なる６種類の寸尺しか記載されない。【０００４】また、形を四角形や十字型に変えてスケールの寸尺を２つ増やすとするとスケールのメモリーが読みづらくなり使用しづらくなるという問題点がある。
【課題を解決するための手段】
【０００５】本発明の４枚羽根回転式複合スケールは芯となる軸棒、軸棒の両端にあるヘッド部分、軸棒を中心に回転する４枚８種類の異なった寸尺が記載された羽根を回すことにより簡単に選べて使用できることを特徴とする。【０００６】また、本発明の円形、円錐、四角形、四角錐、三角形、三角錐などでデザインされたヘッド部分は軸棒より大きく高さがありスケールが置かれる際にこの両端のヘッド部分が羽根の支えとなり、４枚の羽根を芯棒中心に１枚対３枚に隔てることにより、１枚側の羽根で測ることを特徴とする。【０００７】また、本発明の羽根の固定補機能として軸棒のヘッド部分の片端には凸型のツメがあり、軸棒を左右にスライドさせることで計測可能な形、１枚と３枚に分かれた状態の羽根をロック、ロック解除することが可能であることを特徴とする。
【発明の効果】
【０００８】本発明では、４枚の回転式の羽根があることにより８面に１／１００ｍ、１／１５０ｍ、１／２００、１／２５０ｍ、１／３００ｍ、１／４００ｍ、１／５００ｍ１／１００ｍの７０．７％縮小、これら８種類の縮尺目盛りを設けている。【０００９】本発明では、４枚の羽根を芯棒中心に１枚対３枚に隔てて１枚側の羽根で測ることにより使う縮尺目盛りをより見やすいことを特徴とする。【００１０】羽根のロック機能を使用することにより使用している最中の縮尺目盛りを形崩さず使用できることを特徴とする。
【発明を実施するための最良の形態】
【００１１】以下、本発明を実施するための最良の形態４枚羽根回転式複合スケールについて、以下説明する。【００１２】図１は羽根がフリーの状態のであり、図２は羽根がロックされた状態を示す図である。【００１３】図３は上から見た目線を表す断面図である。
【図面の簡単な説明】
【００１４】
【図１】本発明を実施するための最良の形態による４枚羽根回転式複合スケールの羽根がフリー状態での組立て完成図
【図２】本発明を実施するための最良の形態による４枚羽根回転式複合スケールの羽根がロック状態での組立て完成図
【図３】本発明の上面視野角断面図
【図４】本発明を実施するための最良の形態による４枚羽根回転式複合スケールの組立て正面図、右側面図、及び、Ａ−Ａ’線断面図
【図５】本発明の芯棒シャフト正面図、右側面図、及び、Ｂ−Ｂ’線断面図
【図６】本発明の羽根４パーツ正面図、右側面図
【図７】本発明の羽根パーツ正面図、及び、Ｃ−Ｃ’線断面図
【図８】本発明の左ヘッドパーツ正面図、右ヘッドパーツ正面図、及び、Ｄ−Ｄ’線断面図
【図１】
2010280208.tif 000003
【図２】
2010280208.tif 000004
【図３】
2010280208.tif 000005
【図４】
2010280208.tif 000006
【図５】
2010280208.tif 000007
【図６】
2010280208.tif 000008
【図７】
2010280208.tif 000009
【図８】
2010280208.tif 000010
(57)【要約】【課題】彫像を作成するには高度な技術を要し、高価である。【解決手段】多数重ねたコピ−紙をそれぞれ顔の輪郭や目、鼻、口を表す様に切り、重ねて彫像の雛形とする。額から顎までの長さをＡ、額からコピ−紙の上縁をＢとし、用いるコピー用紙をＣ枚とする。雛形のそれぞれのコピ−紙が表す部位は、顔のＡ／Ｃずつ下方に順に分割された部位を表せる様に切り取っていき、コピ−面がすぐ上に重ねられたコピ−面から少し手前にほぼ均等にはみ出して見えるように、順々に下方のコピ−紙を重ねていき図２の様に上底の長さＢ、下底Ａ＋Ｂ、斜辺Ａの台形になる様に重ねる。デジカメやカメラと接続されているモニタ−上で、雛形の基本となっている顔の輪郭、目、鼻、口を単純な曲線で示しておき、顔写真を撮る際にこの曲線に合わせて写真を撮り、できた写真のコピ−をその雛形と同じ場所で切り重ねることでその顔の彫像を作ることができる。【選択図】図２
2010280210.tif 000002
【特許請求の範囲】
【請求項１】
重ねられた多数のコピ−紙を顔面の形状になる様に切り、彫像に見えるように重ねて雛形を作る。
この雛形の基本になる顔の輪郭、目、鼻、口の位置に合致するように顔写真を撮り、できた写真のコピ−を雛形に合わせて切り取り、重ねて作る顔の彫像。
【発明の詳細な説明】
【発明の詳細な説明】
【技術分野】
【０００１】  この発明はコピ−紙を重ねて作った彫像の雛形に合わせて、雛形の基本の顔に示す所定の場所に顔の輪郭や目、鼻、口の部位の場所に一致する様に顔写真を撮ることで、顔の彫像を作ることに関するものである。
【背景技術】
【０００２】従来人の顔は面長や丸顔等顔の輪郭も様々であり、そのパ−ツは目、鼻、口等で複雑に凹凸があり、彫像を作成するには高度な技術を要し、安易に作ることはできなかった。
【発明が解決しようとする課題】
【０００３】本発明は，その欠点を除くためになされたもので，コピ−紙を多数重ねたものから、それぞれのコピ−紙を顔の輪郭や目、鼻、口のところを切り、重ねて雛形とする。この雛形には面長用や丸顔用、その中間位の顔用などで顔の輪郭を幾つかのパタ−ンの雛形を用意し、そこから一番近いものを選び、雛形の基本の顔に合わせて撮った写真を多数コピ−し、その雛形にあわせて切り取り重ねることで、顔の彫像が作れる。
【課題を解決するための手段】
【０００４】カメラと接続されているモニタ−又はデジタルカメラのモニタ−上で、雛形の基本となっている顔の輪郭、目、鼻、口を単純な曲線で示しておく。顔写真を撮る際に顔の輪郭と目、鼻、口をこの単純な曲線に合わせて写真を撮り、できた写真のコピ−をその雛形で指定されている場所で切り重ねることでその顔の彫像を作ることができる。
【発明を実施するための形態】
【０００５】雛形の基本となるコピ−紙上の顔の図を図１に示す。顔の輪郭と目、鼻、口を単純な曲線で示している。雛形はこの図１をコピ−した全く同じものを多数積み重ねて、下に示す様に切り取り重ねたものである。
切り取り方は、重なったコピ−紙の最上部は額を表し、最下部は顎を表して終わる。この時の雛形の基本になる顔の額から顎までの長さをＡとし、額からコピ−紙の上縁までをＢとし、ＡとＢの合計がコピ−紙の縦の長さとなる。また用いるコピ−用紙をＣ枚とする。切り取り方は、雛形の最上方になる額のところは、額の曲線を表す様に楕円形に切り取る。ここから一枚ずつ順に下に下がっていくのだが、雛形のそれぞれのコピ−紙が表す部位は、顔のＡ／Ｃずつ下方に順に分割された部位を表せる様に切り取っていく。目の高さでは眼瞼部や眼球の凹凸が分かる様に切り取る。この時、鼻の隆起をわずかに残しておく。ここから顔面の下方に下がるに従って、鼻筋がでる様に切り取り鼻先端部で隆起を終える。また頬骨から頬部にかけての曲線は同じ曲線で切り取っていく。さらに下がっていき口の周囲では唇の凹凸が分かる様に切り取る。さらに下方に下りていき顎の曲線は同じ曲線で切り取っていき顎の先で終わる。重ね方は、コピ−面がすぐ上に重ねられたコピ−面から少し手前にほぼ均等にはみ出して見えるように、順々に下方のコピ−紙を重ねていく。このようにコピ−紙を多数切り取り重ねられた雛形を側面から見ると、図２の様に上底の長さＢ、下底の長さＡ＋Ｂ、斜辺の長さＡの台形になる様に重ねられている。こうしてできた雛形は真正面から見ると顔の形には見えないが、斜め上から見ると、台形の斜辺に基本となる顔が立体的に表されている。また図３で、雛形の目、鼻、口の高さのコピ−紙の、切断される部位を示す。
顔写真の撮り方は、図１で示した雛形の基本の顔と一致する様に、雛形の顔の輪郭と目、鼻、口をカメラに接続されているモニタ−又はデジタルカメラのモニタ−上で一致する様に顔写真を撮る。又はパソコンに顔写真をとりこみ、雛形の基本の顔と一致するよう調整しプリントアウトしたものを用いてもよい。そうしてできた顔写真を、図１の雛形の基本となるコピ−紙上の顔の輪郭と目、鼻、口の位置とそれぞれ一致する様にコピ−紙上に多数コピ−する。この多数コピ−したものをこの雛形と合致する様に切り重ねていき、雛形と同じものを作る。
こうして切り重ねられたコピ−紙を少し上から見ると、細部が顔写真のコピ−したもので正確に表すことができ、平面に撮られた顔写真が雛形に立体的に表すことができる。こうして額から顎までの範囲で顔写真のコピ−を重ねて、額から顎までの範囲で彫像にすることができる。
写す顔の形は、面長や丸顔など予め何種類か雛形として用意しておくことができる。
雛形として顔の長さだけでなくより正確に表せられる様に、鼻の高さや頬骨の高さなどいくつか調整した雛形を準備することでより正確な彫像が作れる。
また、口をとがらせた雛形や、頬や口角を少し上げて笑顔に見せる雛形を用意し、その雛形に合った表情で写真を撮ることで色々な表情の彫像が作れる。
【発明の効果】
【０００６】顔の彫像を作るには高額な費用と時間と手間がかかってきた。
雛形の基本となる顔に合わせて顔写真を撮り、できた顔写真のコピ−を切り重ねることで安価に彫像が作成することができる。
【図面の簡単な説明】
【図１】雛形の基本となるコピ−紙の顔。
【図２】雛形の側面図
【図３】雛形の目、鼻、口の高さのコピ−紙の、切断される部位を示す。（１）は目の高さのところで切断される部位。（２）は鼻の位置のところで切断される部位。（３）は口の位置のところで切断される部位。
【図１】
2010280210.tif 000003
【図２】
2010280210.tif 000004
【図３】
2010280210.tif 000005
(57)【要約】【課題】  自転車、自動二輪車等で二人乗りする際に使用する後部同乗者の姿勢保持のための両端にベルト通し穴を設けた補助グリップを提供する。【解決手段】グリップ（１）の両端にベルト通し穴部（２）（４）を設け、グリップ（１）とベルト通し穴部（２）、（４）との接合を上下互い違いにし角度を設けたことを特徴とする。【選択図】図１
2010280366.tif 000002
【特許請求の範囲】
【請求項１】
グリップ（１）の両端にベルト通し用の穴（３）、（５）を設け、ベルトを通して保持する二人乗り用補助グリップ。
【請求項２】
グリップ両端位置をベルト通し穴部（２）、（４）の上下互い違いに設け、角度を設けた二人乗り用補助グリップ。
【発明の詳細な説明】
【技術分野】
【０００１】この発明は、自転車、自動二輪車等で二人乗りする際の後部同乗者の姿勢保持のための二人乗り用補助グリップに関するものである。
【背景技術】
【０００２】従来、自転車や自動二輪車の後部座席同乗者の姿勢保持のための補助具は、自転車では運転座席と荷台に設けた籠状シートの間にハンドルを設けたものであったり、自動二輪車では運転者がグリップを設けたベストを装着するものや紐に吊り輪状の持ち手を設けたものであった。
【発明が解決しようとする課題】
【０００３】そのために、次のような欠点があった。
（イ）自転車においては後部同乗者がハンドルと荷台の籠状シートに挟まれた形態となり身体の自由度が制限され、後部同乗者の自発的な危険回避行動が困難であった。
（ロ）自動二輪車においては、運転者に高額な装備費用負担や装脱着の煩わしさを強いる必要があった。
（ハ）従来の運転者が装着する補助具には構造上、装着した際のデザイン性が不足していた。
（ニ）故に自転車、自動二輪車において後部同乗者のための補助具を装着する運転者が増加せず、後部座席同乗者の安全性を向上できにくい状況があった。
本発明は、これらの欠点を解決するためになされたものである。
【課題を解決するための手段】
【０００４】グリップ（１）の両端にベルト通し穴部（２）、（４）とベルト通し穴（３）、（５）を設け、グリップ（１）の両端位置をベルト通し穴部（２）、（４）の上下互い違いに設け、角度を設ける。
本発明は、以上の構成からなる二人乗り用補助グリップである。
【発明の効果】
【０００５】装、脱着が簡単であり、グリップに角度を持たせることで掴み易く放しやすい。構造は簡単であり製造コストも従来補助具に比べ安価にできる。使用者の金銭または装着手間の負担を軽くし、装着時の外観への影響を少なくすることにより幅広く普及しやすくなり、近年増加傾向にある自転車や自動二輪車の二人乗り走行時の後部同乗者の安全性を高めることができる。
【発明の実施するための最良の形態】
【０００６】以下、本発明の実施の形態について説明する。
（イ）グリップ（１）の両端に適当な幅のベルト通し穴（３）、（４）と適当な角度と湾曲を有するベルト通し穴部（２）、（４）を設ける。
（ロ）グリップ（１）とベルト通し穴部（２）、（４）の連結は両端で互い違いの位置とし、グリップに角度を設ける。
【実施例】
【０００７】本発明は以上のような構成でこれを使用するときは、運転者がグリップ両端のベルト通し穴にベルトを通しベルトを締めることで保持される。そして後部同乗者は運転者が保持するグリップを掴むことで乗車姿勢を保持させることができる。
【図面の簡単な説明】
【０００８】
【図１】本発明を示した斜視図である。
【図２】本発明を示した側面図である。
【図３】本発明を示した平面図である。
【符号の説明】
【０００９】（１）グリップ
（２）ベルト通し穴部
（３）ベルト通し穴
（４）ベルト通し穴部
（５）ベルト通し穴
（６）ベルト
【図１】
2010280366.tif 000003
【図２】
2010280366.tif 000004
【図３】
2010280366.tif 000005
(57)【要約】【課題】壁付コンセントに電圧により色の変わるランプを付け電圧量を計る目安にするものを提共する【解決手段】コンセントのランプ▲１▼により電圧量を知りタコ足配線等を気を付けるように出来る【選択図】図１
2010182657.tif 000002
【特許請求の範囲】
【請求項１】
壁付コンセント（雌）に点灯する物を取り付けた物とする
【請求項２】
壁付コンセント（雌）に点灯する物を取り付け点灯する物の発光色が変わる物とする
【発明の詳細な説明】
【技術分野】
【０００１】本発明は壁付コンセント部に色の変わるランプを取り付け暗い時にはコンセントの場所を教え、使用時には、使用量を目で分かるようにしたものである
【背景技術】
【０００２】従来は壁付コンセントにランプの付いたものはなかった。
【発明の開示】
【発明が解決しようとする課題】
【０００３】暗い時にコンセントの場所が分からなかったり、タコ足配糸等で１つのコンセントからいくつものコードを出した時ブレーカーが落ちたりする難点があった。本発明はこの課題を目視でき、使用量を減らしたりするためになされたものである
【課題を解決するための手段】
【０００４】壁付コンセントにランプ▲１▼を付け、未使用時にも点灯しており使用時には電圧によりランプの色が変わるようにした
【発明の効果】
【０００５】オーディオ、パソコン等がある付近の壁付コンセントではタコ足配線等がよく見られますが、これの使用電圧量をランプ▲１▼により目で確認できる
以下、本発明の実施の形態について説明する
（イ）未使用時には（緑）、使用時には（青）→（黄）→（赤）と電圧の使用量により色が変わる
（ロ）あくまで目安であり使用者に注意をうながすものである
【実施例１】
【０００６】
【図面の簡単な説明】
【０００７】
【図１】本発明の正面図である
【符号の説明】
【０００８】▲１▼  ランプ
▲２▼  壁付コンセント．
【図１】
2010182657.tif 000003
(57)【要約】【課題】鉄道車両の床下に装着された鉄道車両用半導体冷却装置において、筐体に固定された１つの冷却体に１系、２系の半導体素子を配置し、一つの相に不具合が発生し素子が破壊した場合、破裂の勢いにより隣の相にまで影響を及ぼし、１系、２系の両方が稼動できなくなるおそれがある。【解決手段】各相の素子の間に仕切りを設けることにより、ある相の素子に不具合が発生し素子が破壊した場合でも、設けた仕切りにより隣の相の素子を保護できる構造とすることで、残った系が影響されずに稼動できるものである。【選択図】図１
2010182840.tif 000002
【特許請求の範囲】
【請求項１】
鉄道車両の床下に装着された鉄道車両用半導体冷却装置において、筐体に固定された冷却体に１系、２系の半導体素子を配置し、通電により過熱する半導体素子の冷却を目的とする半導体冷却装置において、該１系、２系の半導体素子の間に仕切りを設け、前記１系または２系の素子に不具合が生じ、素子が破壊した場合においても、設置した該仕切りにより、該冷却体上に配置された破壊されていない別素子を保護できる構造とし、破壊されずに残った系が他の系の不具合に影響されずに稼動できることを特徴とする半導体冷却装置。
【発明の詳細な説明】
【技術分野】
【０００１】
本発明は、１つの冷却体に、１系、２系の半導体素子を配置し、通電により過熱する半導体素子の冷却を目的とした鉄道車両用半導体冷却装置に関するものである。
【背景技術】
【０００２】
従来、１系、２系を有する鉄道車両用半導体冷却装置は、装置筐体に固定された冷却体の素子搭載面に半導体素子を配列し、素子を冷却する構造としていた。
【先行技術文献】
【特許文献】
【０００３】
【特許文献１】特開２００６−１２１８４７号公報
【発明の概要】
【発明が解決しようとする課題】
【０００４】
現状では、１系もしくは２系の半導体素子に不具合が発生し、素子が破壊した場合、破裂の勢いにより、隣の系の素子まで影響を及ぼし、１系、２系の両方が稼動できなくなるという課題がある。
【課題を解決するための手段】
【０００５】
請求項1の発明によれば、鉄道車両の床下に装着された鉄道車両用半導体冷却装置において、筐体に固定された冷却体に１系、２系の半導体素子を配置し、通電により過熱する半導体素子の冷却を目的とする半導体冷却装置において、該１系、２系の半導体素子の間に仕切りを設け、前記１系または２系の素子に不具合が生じ、素子が破壊した場合においても、設置した該仕切りにより、該冷却体上に配置された破壊されていない別素子を保護できる構造とし、破壊されずに残った系が他の系の不具合に影響されずに稼動できることを特徴とする半導体冷却装置である。
【０００６】
すなわち、ある系の素子に不具合が発生した場合でも、隣の系に影響を与えることなく、残った系の正常な稼動が可能となる。
【発明の効果】
【０００７】
以上説明したように本発明によれば、半導体冷却体に配置された１系、２系の半導体素子の系間に仕切りを設けることにより、不具合の発生した系から正常な系を保護し、影響されずに稼動することが可能となる。
【図面の簡単な説明】
【０００８】
【図１】本発明が適用された半導体冷却装置の素子配置状態図である。
【図２】本発明の詳細の構成を示す断面図である。
【発明を実施するための形態】
【０００９】
鉄道車両の床下に装着された鉄道車両用半導体冷却装置において、筐体に固定された冷却体に１系、２系の半導体素子を配置し、通電により過熱する半導体素子の冷却を目的とする半導体冷却装置において、該１系、２系の半導体素子の間に仕切りを設ける。
【実施例１】
【００１０】
図１は本発明が適用された半導体冷却装置の素子配置状態図である。図２は本発明の詳細の構成を示す断面図である。半導体冷却装置筐体１に半導体冷却体２が固定されており、半導体冷却体２の素子搭載面に配置された半導体素子３の間に仕切り４が設けられていることで、不具合が発生した系の隣の系の素子を保護することができる。
【産業上の利用可能性】
【００１１】
各相の素子の間に仕切りを設けることにより、ある相の素子に不具合が発生し素子が破壊した場合でも、設けた仕切りにより隣の相の素子を保護できる構造とすることで、残った系が影響を受けることなく稼動することができる。
【符号の説明】
【００１２】
１    半導体冷却装置筐体
２    半導体冷却体
３    半導体素子
４    仕切り
【図１】
2010182840.tif 000003
【図２】
2010182840.tif 000004
(57)【要約】【課題】  自分の家の火災をいち早く、住人や隣の家の住人及び通行人等に通報し被害を最小限に抑制する住宅火災警報システムを提供する。【解決手段】  自分の家の（１ａ〜１ｎ）室内警報器で火災を検知し、住人に通報するとともに、隣の家の寝室等に、火災発生を通知する（３）外部警報器２を取付け、また自分の家の外壁に火災発生を通知する（２）外部警報器１を取付けた住宅火災警報システムを特徴とする。【選択図】図１
2010182339.tif 000002
【特許請求の範囲】
【請求項１】
屋外及び隣の家に、自分の家の火災警報器を設置した、火災警報システム。
【発明の詳細な説明】
【技術分野】
【０００１】  この発明は、自分の家の火災発生を隣の家の住人及び通行人等に、いち早く通知する火災警報システムに関するものである。
【背景技術】
【０００２】  従来、自分の家の火災を隣の住人や通行人が知るのは、「発声」による通知や火や煙が外に出てから、延焼等により知り得た。
【発明の開示】
【発明が解決しようとする課題】
【０００３】  これは、次のような欠点があった
（イ）  隣の家の火災発見が遅れ延焼が拡大してしまった。
（ロ）  夜間で隣の家の火災がわからず焼死してしまうことがあった。
（ハ）  火災発生時の消防署への通報が遅れ、被害が拡大した。
本発明は、以上のような欠点をなくすためになされたものである。
【課題を解決するための手段】
【０００４】  隣の家の寝室等に、自分の家の火災発生時に作動する火災警報器を取付け、また自分の家の外壁に火災警報器を取付けた住宅火災警報システムである。
【発明の効果】
【０００５】  （イ）隣の家の住人が火災警報器の作動により、いち早く隣の家の火災発生を知ることができ、火災被害を最小限に抑制することができる。
（ロ）自分の家の火災を道路通行人等に、いち早く通報することができ、初期消火時間の短縮をはかることができる。
【発明を実施するための最良の形態】
【０００６】  以下、本発明を実施するための最良の形態について説明する。
熱及び煙の発生により火災発生を認識する（１ａ、１ｂ、１ｃ〜１ｎ）の室内警報器は、火災発生の時は音声及び警報音により自分の家の住人に通報するとともに、（２）の外部警報器１及び隣の家の寝室等に設置した（３）の外部警報器２に無線信号により火災発生を通知する。
火災発生通知を受けた（２）外部警報器１は、ベル、警報ブザー、回転灯、音声等により、道路通行人等外部に火災発生を知らせる。
火災発生通知を受けた（３）外部警報器２は、音声、警報音により隣の家の住人に隣の家での火災発生を知らせる。
本発明は以上のようなシステムである。
【図面の簡単な説明】
【０００７】
【図１】  本発明のシステム構成図である。
【図２】  本発明の室内警報器ブロック図である。
【図３】  本発明の外部警報器１のブロック図である。
【図４】  本発明の外部警報器２のブロック図である。
【符号の説明】
【０００８】１ａ〜１ｎ  室内警報器
２  外部警報器１
３  外部警報器２
４  空中線
【図１】
2010182339.tif 000003
【図２】
2010182339.tif 000004
【図３】
2010182339.tif 000005
【図４】
2010182339.tif 000006
(57)【要約】      （修正有）【課題】複数のトラックボールを複数のカーソルに割り当て、個別に操作できる構造にする事で操作性の向上を図る。【解決手段】複数のトラックボールを各指に沿った構造に配置し、それぞれのトラックボールを、カーソル４（Ａ〜Ｄ）に割り当て個別に操作できる構造にする事で操作性が向上できる。【選択図】図３
2010182281.tif 000002
【特許請求の範囲】
【請求項１】
トラックボール１〜ｎ個分を、カーソル１〜ｎ個分に割り当てて、複数の座標軸を維持し、操作可能なトラックボールの構造、及び入力デバイス
【発明の詳細な説明】
【技術分野】
【０００１】  本発明品は入力デバイスに関するものである。
【背景技術】
【０００２】  通常のトラックボールではカーソルを一つしか操作できなく、またディスプレイ画面の大型化やソフトウェアの複雑化により操作が不便になってきている。
【発明の開示】
【発明が解決しようとする課題】
【０００３】  本考案では複数のトラックボールを複数のカーソルに割り当て、個別に操作できる構造にする事で操作性の向上を図る。
【課題を解決する為の手段】
【０００４】  複数のトラックボール２（Ａ〜Ｄ）を各指に沿った構造に配置し、それぞれのトラックボール２（Ａ〜Ｄ）を、カーソル４（Ａ〜Ｄ）に割り当て個別に操作できる構造とした。
【発明の効果】
【０００５】  例えば、通常のトラックボールでは、トラックボール一個に対し、一つのカーソル１０しか操作できないので、画面の左端から右端に移動する場合にはトラックボールを数回動かしカーソルを操作する為、効率が悪い。（図２参照）
【０００６】  しかしながら本考案の複数のトラックボール２（Ａ〜Ｄ）に複数のカーソル４（Ａ〜Ｄ）を割り当てた場合、ディスプレイ画面上に  複数のカーソル４（Ａ〜Ｄ）を常駐させることができ、それぞれのカーソルの座標軸を個別に固定させて置く事ができるので、カーソル４Ａをフォルダ５Ａに配置、カーソル４Ｂをファイル６に配置など自由に固定配置できるので操作性を格段に良くすることができる。（図３参照）
【０００７】  また、マルチディスプレイ環境では、ディスプレイ画面１〜ｎ台分に、それぞれトラックボール１〜ｎ個分のカーソル１〜ｎ個分を常駐でき、操作することが可能となるので大幅な操作性の向上が期待できる。
【発明を実地する為の最良の形態】
【実地例】
【０００８】  以下、簡単な実地例として図２、図３のディスプレイ画面９左上にあるフォルダ５Ａを開き、ウィンドウ７に移動し、更にファイル６を確認した後に、閉じるボタン８へと移動し、クリックして閉じるという一連の操作をもって両者の違いについて説明する。
【０００９】  通常のトラックボールで操作した場合、トラックボール一つに対しカーソル１０一つのみ割り当てられているので、フォルダ５Ａを開き、ウィンドウ７に移動し、ファイル６を確認して、閉じるボタン８まで移動し、クリックして閉じるという動作を通常のカーソル１０一つでしなければならない。この操作を２回繰り返す場合には閉じるボタン８をクリックした後にまたフォルダ５Ａまで移動して選択し、上記と同じような手順で操作をしなければならない。（図２のカーソル１１の動きを参照）
【００１０】  しかし複数のトラックボール２（Ａ〜Ｄ）に複数のカーソル４（Ａ〜Ｄ）を割り当てた場合はこれらの操作を簡略化する事ができる。トラックボール２（Ａ〜Ｄ）に、カーソル４（Ａ〜Ｄ）を割り当てた状態で［０００９］と同じ一連の操作を実行した場合について説明する。まず人差し指の先にあるトラックボール２Ａでカーソル４Ａを操作し、ディスプレイ画面左上にあるフォルダ５Ａを選択する。次に中指の先にあるトラックボール２Ｂでウィンドウ７に移動しファイル６を確認する。更に薬指の先にあるトラックボール２Ｃでカーソル４Ｃを操作し、閉じるボタン８まで移動して閉じるボタン８をクリックして閉じる。この状態で更に別のフォルダ５Ｂを開くときにはトラックボール２Ａに割り当てられたカーソル４Ａだけを操作するだけで良い。カーソル４Ｂ〜Ｄはそれぞれの座標軸を維持している為、カーソル４Ｂを操作すればファイル６選択用のカーソルとして機能し、更にカーソルＣを操作すれば閉じるボタン８クリック用のカーソルとして機能する。
【００１１】  以上のようにトラックボール１〜ｎ個分の座標軸を、カーソル１〜ｎ個分に割り当てて操作できるので、よりグラフィカルユーザインターフェイスに近い操作が可能となる。
【図面の簡単な説明】
【００１２】
【図１】  トラックボール本体を示した平面図である。
【図２】  通常のトラックボールで操作した状態のディスプレイ画面を示した平面図である。
【図３】  複数のトラックボールで操作した状態のディスプレイ画面を示した平面図である。
【符号の説明】
【００１３】１トラックボール本体
２（Ａ〜Ｄ）トラックボール
３サイドボタン
４（Ａ〜Ｄ）カーソル
５（Ａ〜Ｃ）フォルダ
６ファイル
７ウィンドウ
８閉じるボタン
９ディスプレイ画面
１０通常のカーソル
１１通常のカーソルの動きの流れ
【図１】
2010182281.tif 000003
【図２】
2010182281.tif 000004
【図３】
2010182281.tif 000005
(57)【要約】【課題】  ＩＣタグと携帯電話を利用した簡素で安価なポイント管理システムを提供する。【解決手段】  高価なＩＣタグリーダーやパソコン及び固定インターネット回線を利用せず、携帯電話用ＩＣタグリーダーと携帯電話を利用して簡素で安価なポイント管理システムである。  また、ポイントカードに利用するＩＣタグはシールで張り付けることも可能で既存のカードに貼ることにより導入コストを減らし簡単に切り替えが可能である。【選択図】図１
2010182280.tif 000002
【特許請求の範囲】
【請求項１】
ＩＣタグリーダーと携帯電話もしくはＩＣタグリーダー内蔵の携帯電話で既存紙カードに貼り付けたＩＣタグもしくはＩＣタグ内蔵ポイントカードを読み取り、読み取ったデータ内の会員番号を遠隔地にあるデータベースサーバーにインターネットを使用して転送し、ポイントの状況やポイントの配布及び利用が行えるポイント管理システム。
【請求項２】
ポイント情報や顧客情報を店舗等システム利用者以外の第三者がデータを管理し情報漏洩を無くする請求項１記載のポイント管理システム。
【発明の詳細な説明】
【技術分野】
【０００１】  本発明は、従来のポイントシステムに関し、店舗内で場所をとってしまうパソコンやカードリーダーを設置することなく、携帯電話と小型ＩＣタグリーダーというコンパクトで操作や導入が簡単な機器で利用できるポイト管理システムに関する。
【背景技術】
【０００２】  従来のポイントシステムは、店舗内で場所をとってしまうパソコンや高価なカードリーダーを設置し、顧客には高価なカードを渡してポイント管理を行っている。
【先行技術文献】
【特許文献】
【０００３】
【特許文献１】  特開２００４−２２７４１６号公報  上記の携帯情報端末を利用したポイントシステムは、顧客の所有する携帯情報端末をポイントカードの代用として利用できるポイントシステムである。
本発明と特許文献１との相違は、（１）顧客側の携帯情報端末は不要で、安価なＩＣタグを既存紙カードに貼り付けるだけで誰でも利用が可能であること。
（２）  店舗にパソコンや高価なカードリーダーを設置する必要がないことである。
【発明の概要】
【発明が解決しようとする課題】
【０００４】  本発明が解決しようとする課題は、高価なＩＣタグリーダーやパソコン及び固定インターネット回線を利用せず、携帯電話用ＩＣタグリーダーと携帯電話を利用した簡素で安価なポイント管理システム及び、ポイントカードに利用するＩＣタグはシールで貼り付けることができるので既存の紙カードに貼ることにより導入コストを減らし簡単に切り換えが可能であり、出張店舗のようにインターネット回線の導入が困難な場所にも利用が可能なポイント管理システムを提供する。
【課題を解決するための手段】
【０００５】  上記の課題を解決するために、本発明は、ＩＣタグリーダーと携帯電話またはＩＣタグリーダー内蔵の携帯電話を店舗等に配置する。顧客が持っている配布済みのＩＣタグ内蔵カードもしくはＩＣタグを張り付けたカードをＩＣタグリーダーで読み取り、読み取ったデータを遠隔地にあるサーバーに転送する。データを照合し、当該顧客のポイント等の情報と今回付与もしくは利用するポイント数を入力する画面を携帯電話に表示する。
付与もしくは利用するポイント数を入力し登録を行うと、該当顧客のポイント情報を遠隔地にあるデータベースサーバーに転送し管理する。
【発明の効果】
【０００６】（１）携帯電話のインターネット回線を使用してのデータ転送となり、既存インフラを十分に活用するため、設備投資を軽減できる。
（２）ＩＣタグやＩＣタグリーダーにデータ蓄積場所や顧客番号を蓄積させるため、このシステムをいろいろな企業や店舗にすぐに適用することができる。
（３）出張店舗や移動店舗等、インターネット回線の導入が難しい店舗での利用ができる。
【図面の簡単な説明】
【０００７】
【図１】本発明によるポイント管理システムの全体構成図である。
【図２】本発明によるポイント利用もしくは付与時のビジネスフローチャートである。
【発明を実施するための形態】
【０００８】本発明を実施するための形態を実施例に基づいて説明する。
（１）図１は本発明によるシステムの実施例としてポイント管理システムの全体構成図である。本発明は、これに限らず、スタンプラリーやクーポン券の管理等、広く適用可能である。
（２）図１の１は本発明で使用するＩＣタグリーダーと携帯電話もしくは：ＩＣタグリーダー内蔵の携帯電話、２はＩＣタグである。３はポイントや顧客情報蓄積用のサーバーである。
（３）図１の１のＩＣタグリーダーにはインターネットを経由してデータを蓄積するためのホスト名、店舗情報のデータ等があらかじめ登録されており、２のＩＣタグには顧客番号データがあらかじめ登録されている。２のＩＣタグを１のＩＣタグリーダーで読み込ませ、３のデータベースサーバーにインターネットを経由してデータを転送する。店舗情報や顧客情報より顧客のポイント情報を取得し、携帯電話の画面に表示する。その際、画面上に今回付与もしくは利用するポイント数を入力しその情報を３のデータベースサーバーにインターネットを経由してデータを転送する。
（４）企業や店舗では、ポイントの取得及び利用状況についてサーバーにインターネット経由で容易に把握することが可能となる。
（５）図２はポイント利用もしくは付与時のビジネスフローチャートである。
【符号の説明】
【０００９】  １    携帯電話＋ＩＣタグリーダーまたはＩＣタグリーダー内蔵携帯電話
２    ＩＣタグ
３    データベースサーバー
【図１】
2010182280.tif 000003
【図２】
2010182280.tif 000004